(57)【要約】      （修正有）【課題】未使用時において大きなスペースを取らず取り扱いが簡便であり、植物の成長に合わせて簡易な作業により支柱に組み付けることも可能とする。【解決手段】線材の一端側に支柱２の外径よりも大きな曲率半径で略Ｕ字状に折曲した第１掛合せ部１１を有する第１掛止端部９を形成し、他端側に第１掛合せ部１１と直交する方向に略Ｕ字状に折曲した第２掛合せ部１３を有する第２掛止端部１０を形成し、第１掛止端部９と第２掛止端部１０の途中部位１２が湾曲される。【選択図】図３
0003126856.tif 000002
【実用新案登録請求の範囲】
【請求項１】
金属線材や合成樹脂線材等の弾性を有する線材により形成され、
第１端部側に形成され、略Ｕ字状に折曲した第１掛合せ部と、この第１掛合せ部の折り返し先端部位を略へ字状に折曲した第１係止部とからなる第１掛止端部と、
上記第１端部と相対する第２端部側に形成され、上記第１掛合せ部と直交する方向に略Ｕ字状に折曲した第２掛合せ部と、この第２掛合せ部の折り返し先端部位を略へ字状に折曲した第２係止部とからなる第２掛止端部と、
上記第１掛止端部と上記第２掛止端部との間の湾曲された途中部位とから構成され、
土壌に立設される支柱に組み合わされて植物の拡がった茎や枝を囲って保持することを特徴とする植物保持用肋材。
【請求項２】
上記第１掛止端部が、土壌に立設される支柱に対して、上記第１掛合せ部を水平姿勢で直交状態に掛け合わせ、
上記途中部位が、上記第１掛止端部に上記第２掛止端部を対向位置させるように略円形に湾曲されることにより弾性力を蓄勢し、
上記第２掛止端部が、上記第２掛合せ部を上記支柱の内周側において上記第１掛止端部の上記第１掛合せ部に対して垂直姿勢で直交状態に掛け合わすことにより上記支柱の内側面に対して高さ方向に離間して当接し、
上記第１掛止端部と上記第２掛止端部が、上記途中部位に蓄勢された弾性力を作用させて上記支柱を挟持することにより、略水平状態に片持ち保持される上記途中部位が、植物の拡がった茎や枝を囲って保持することを特徴とする請求項１記載の植物保持用肋材。
【請求項３】
所定の間隔を以って立設した複数本の支柱のいずれか１本に対して、上記第１掛止端部が上記第１掛合せ部を水平姿勢で直交状態に掛け合わせるとともに上記途中部位がそれぞれの外周部に沿うようにさらに略円形まで湾曲させて周回状態に組み付けることにより対向位置された上記第２掛止端部が上記支柱の内周側において上記第２掛合せ部を上記第１掛合せ部に対して垂直姿勢で直交状態に掛け合わされ、
上記途中部位が、他の上記各支柱との交差部位を紐や針金により結合されることにより植物の拡がった茎や枝を囲って保持することを特徴とする請求項１又は請求項２記載の植物保持用肋材。
【請求項４】
土壌に立設される第１の支柱に対して、上記第１掛止端部が上記第１掛合せ部を水平姿勢で直交状態に掛け合わせるとともに、上記第１の支柱に対して横架された第２の支柱に対して上記第２掛止端部が上記第２掛合せ部を垂直姿勢で直交状態で掛け合わされ、
上記第１の支柱と上記第２の支柱との間で略水平状態に保持される上記途中部位が植物の拡がった茎や枝を囲って保持することを特徴とする請求項１記載の植物保持用肋材。
【考案の詳細な説明】
【技術分野】
【０００１】
本考案は、土壌に立てられた支柱に組み付けられることにより、植物の拡がった茎や枝を囲って保持する植物保持用肋材に関する。
【背景技術】
【０００２】
植物栽培においては、例えば比較的背丈が大きくなる多数の株を寄せ植えする蘭等の栽培、３本立てを基本とする菊の栽培或いは朝顔等の蔓物等の栽培に際して、成長に伴って外側へと拡がる茎や枝を囲って保持することにより傾倒を防止したり仕上がり体裁を整えるために行灯仕立て等の仕立てが組み立てられる。行灯仕立ては、一般に植木鉢内に対象植物を囲んで複数の支柱を互いに等間隔となるように土壌に差し込んで立設し、これら支柱に複数のリング状の横材を高さ方向に離間して組み合わせて構成する。行灯仕立においては、各横材が、支柱に対して略水平となるように組み合わせた状態で紐や針金等によりそれぞれ結合される。
【０００３】
行灯仕立てにおいては、各支柱に対して横材を組み合わせた状態で紐等の巻き付けを行うために組立作業が面倒であるとともに、紐等がゆるんで横材がずれてしまったり、支柱に歪みを生じさせてしまうといった問題があった。また、行灯仕立てにおいては、このために支柱が倒れたり、全体がゆがんで仕上がり形態が損なわれるといった問題があった。
【０００４】
行灯仕立てにおいては、例えば１本の支柱に対して予め複数のリング状横材が回動自在に組み合わされたキットが提供され、当該支柱を植木鉢等に立設した状態で各横材を展開操作するとともに、これら横材に合わせて他の支柱を植木鉢等に立設した後に紐等で結合することにより組立が行われる。かかる行灯仕立てにおいては、各横材が１本の支柱に保持されることから、他の支柱に紐等を巻き付ける作業が簡易に行われて簡単に組み立てることが可能である。
【０００５】
また、行灯仕立てにおいては、コイル部と、このコイル部から引き出された両端部をそれぞれフック状に形成した掛合部とからなる複数個の結合用金具を用いるようにしたものも提供されている。かかる行灯仕立てにおいては、リング状に形成した横材に対して予め結合用金具が、それぞれのコイル部を嵌挿して組み付けられ、植木鉢等に立設した各支柱の上方からその外周部に組み合わされる。行灯仕立てにおいては、コイル部を縮径するようにして各掛合部をそれぞれ支柱に掛け合わせることにより、面倒な紐等の巻付け作業を不要として支柱に対して横材が簡易に組み立てられる。
【０００６】
特許文献１には、支柱部と、この支柱部の上端部にリング部を介して直交状態に形成されるとともに先端部に係止鉤部が形成された円弧状の支持部とからなる植物用支柱が開示されている。特許文献１においては、例えば３本の植物用支柱が、互いに等間隔で支柱部を植木鉢等に差し込んで立設されるとともに、係止鉤部を隣り合う植物用支柱のリング部に差し込んで結合することにより各支持部が全体でリング状を呈するようにする。特許文献１においては、上段側の各植物用支柱が支柱部の下端部を相対する下段側の植物用支柱のリング部に差し込むことにより多段の組み合わせが行われるようにする。
【０００７】
特許文献２には、支柱に組み合わされる環状部材に、周方向の少なくとも３箇所に突出して係止爪を突設した栽培補助具が開示されている。栽培補助具においては、支柱に組み合わされた環状部材が、一端を係止爪に掛け合わせた輪ゴムを支柱の外周部に巻き付けて他端を係止爪に掛け合わせることにより組立が行われる。栽培補助具においては、環状部材に係止爪が設けられているために紐等を巻き付ける方法と比較して輪ゴムを簡易に巻き付けることが可能であるとともに緩みの発生も少ない。
【０００８】
【特許文献１】特開昭６１−１６２１２０号公報
【特許文献２】特開２００１−２０４２６６号公報
【考案の開示】
【考案が解決しようとする課題】
【０００９】
支柱に複数のリング状横材を回動自在に組み合わせた行灯仕立ては、折り畳んだ状態でもリング状の横材により大きなスペースが取られて取り扱いが不便であるとともに変形等が生じ易く、また横材に設けられる回動自在な構造或いは両端部を結合する構造等によりコスト高となるといった問題がある。また、結合用金具を用いる行灯仕立ても、リング状横材に伴う同様の問題とともに、ピアノ線材等により形成した複数の結合用金具を備えることによりコスト高となるといった問題がある。
【００１０】
特許文献１に開示された植物用支柱は、線材を折曲して形成した簡易な構造であって廉価であるとともに、組合せ個数を変えることにより適宜の外径や高さを異にしたものが得られて汎用性が高い。かかる植物用支柱においては、それぞれの支持部を弾性変形させて組み合わせが行われることから、支柱部に対する負荷が大きくなり立設状態が強固に保持し得ないといった問題がある。また、植物用支柱は、全体が略Ｌ字状の形状であることからスペースが取られて取り扱いが不便であるといった問題がある。
【００１１】
特許文献２に開示された栽培補助具も、環状部材を用いるためにスペース効率が悪く、またもっぱら屋外で用いるために輪ゴムの劣化が早く脱落が生じやすいといった問題がある。また、栽培補助具においては、最初の輪ゴムが環状部材を保持しながら巻き付けられるために作業がやや面倒であるといった問題がある。
【００１２】
ところで、従来の各植物支持具においては、特許文献１に開示された植物用支柱を除いて、上述したようにいずれも支柱に組み付ける横材がリング状に形成されている。かかる植物支持具においては、植物がある程度育って茎や枝或いは葉が繁茂した状態でその周囲を囲んで組み立てることが困難である。植物支持具においては、リング状の横材が、植物の周囲に適宜の間隔で立設した支柱に対して植物の上方から落とし込んで組み付けられるが、葉や枝を傷付けてしまう虞があるとともに大きく育ってしまうと組み付けることができないために、植物の生長を見込んである程度の大きさを以って事前に組み立てられなければならない。
【００１３】
従来の植物支持具においては、上述したように事前に組立てるために茎や枝が思わぬ方向に延びた場合に、これら茎や枝を針金等を用いて所定の支柱や横材に沿うように矯正する作業が必要であった。植物支持具においては、かかる矯正が植物の生長を妨げるとともに茎や枝を無理に曲げることにより折ってしまうこともあった。植物支持具においては、植物が大きく育った場合に、追加の支柱や横材を設けて茎や枝を保持するといった対応を図ることが困難であった。
【００１４】
したがって、本考案は、未使用時において大きなスペースを取らず取り扱いが簡便であるとともに、植物が成長した状態においても簡易な作業により支柱に組み合わせて適宜の仕立を組み立てることが可能である廉価な植物保持用肋材を提供することを目的に提案されたものである。
【課題を解決するための手段】
【００１５】
上述した目的を達成する本考案にかかる植物保持用肋材は、金属線材や合成樹脂線材等の弾性を有する線材により形成され、略Ｕ字状に折曲した第１掛合せ部とこの第１掛合せ部の折り返し先端部位を略へ字状に折曲した第１係止部とからなり第１端部側に形成された第１掛止端部と、第１掛合せ部と直交する方向に略Ｕ字状に折曲した第２掛合せ部とこの第２掛合せ部の折り返し先端部位を略へ字状に折曲した第２係止部とからなり第２端部側に形成された第２掛止端部と、これら第１掛止端部と第２掛止端部との間の湾曲された途中部位とから構成される。植物保持用肋材は、第１掛止端部及び第２掛止端部を介して植木鉢等の土壌に差し込んで立設される支柱に組み合わされ、途中部位が植物の拡がった茎や枝を囲むことにより保持する。
【００１６】
植物保持用肋材は、第１掛止端部が土壌に立設される支柱に対して第１掛合せ部を水平姿勢で直交状態に掛け合わせ、途中部位が略円形に湾曲されることにより弾性力を蓄勢して第１掛止端部に第２掛止端部を対向位置させるようにし、第２掛止端部が第２掛合せ部を支柱の内周側において第１掛止端部の第１掛合せ部に対して垂直姿勢で直交状態に掛け合わすことにより支柱の内側面に対して高さ方向に離間して当接するようにして組み合わされる。植物保持用肋材は、第１掛止端部と第２掛止端部が途中部位に蓄勢された弾性力を作用させて支柱を挟持するとともに、途中部位が略水平状態に片持ち保持される。
【００１７】
植物保持用肋材は、所定の間隔を以って立設した複数本の支柱のいずれか１本に対して、第１掛止端部が第１掛合せ部を水平姿勢で直交状態に掛け合わせるとともに途中部位がそれぞれの外周部に沿うようにさらに略円形まで湾曲させて周回状態に組み付けることにより対向位置された第２掛止端部が支柱の内周側において第２掛合せ部を第１掛合せ部に対して垂直姿勢で直交状態に掛け合わせて組み合わされる。植物保持用肋材は、途中部位を、他の各支柱との交差部位を紐や針金により結合して補強される。
【００１８】
植物保持用肋材は、土壌に立設される第１の支柱に対して第１掛止端部が第１掛合せ部を水平姿勢で直交状態に掛け合わせるとともに、第１の支柱に対して横架された第２の支柱に対して第２掛止端部が第２掛合せ部を垂直姿勢で直交状態に掛け合わせて組み合わされる。植物保持用肋材は、途中部位が第１の支柱と第２の支柱との間で略水平状態に保持される。
【考案の効果】
【００１９】
以上のように構成された本考案にかかる植物保持用肋材によれば、線材の両端部に第１掛止端部と第２掛止端部を形成した簡易な構造であることから、廉価であるとともに未使用時においても大きなスペースを取ることがなく取り扱いが簡便である。植物保持用肋材によれば、植物が育って茎や枝が拡がった状態でもこれらの負荷を軽減し或いは傷付けることなく行灯仕立て等の最適な仕立を組み立てることが可能である。
【考案を実施するための最良の形態】
【００２０】
以下、本考案の実施の形態として図面に示した植物保持用肋材１（以下、肋材１と略称する）について詳細に説明する。肋材１は、例えば図１に示すように、複数本の支柱２に対してその外周部に略水平状態でかつ高さ方向に並んでリング状に組み付けられることにより行灯仕立て３を構成する。行灯仕立て３は、比較的背丈が大きくなる蘭類や朝顔等の蔓物或いは３本立ての菊等の植物４を栽培する際に当該植物４を囲むようにして組み立てられ、成長する植物４の幹や枝或いは花や蔓を肋材１や支柱２で支えて屈倒を防止するとともに見栄えのよい外観形態を構成する。
【００２１】
行灯仕立て３は、図１に示すように３本の支柱２Ａ〜２Ｃがその下端部を植木鉢５に充填した土壌６に差し込んで互いに略等間隔で立設され、これら支柱２に対して詳細を後述するようにそれぞれ略リング状に湾曲させた３本の肋材１Ａ〜１Ｃがそれぞれ略同一高さ位置において横架状態に組み付けられて構成される。行灯仕立て３においては、詳細を後述するように例えば下段の肋材１Ａが支柱２Ａに対して結合部材を不要として組み付けられるが、他の支柱２Ｂ、２Ｃに対して肋材１Ａの途中部位１２をそれぞれ結合針金７を用いて結合するようにしてもよい。なお、結合針金７には、例えば園芸用品として一般に提供されている樹脂コーティングが施された針金等が用いられるが、紐であってもよい。また、行灯仕立て３は、結合針金７の代わりに上記従来例において説明したコイル部とフック状の掛合部とからなる結合用金具を用いてもよい。
【００２２】
行灯仕立て３は、図１に示すように植木鉢５に対して逆円錐台形状に組み立てられる。かかる行灯仕立て３においては、支柱２Ａ〜２Ｃが上方に向かって次第に外側に広がるようにして植木鉢５に立設される。行灯仕立て３においては、支柱２Ａ〜２Ｃに組み付けられる肋材１Ａ〜１Ｃが下段から上段に向かって次第に大径となることから、長さを異にする肋材１Ａ〜１Ｃが用いられることになる。肋材１Ａ〜１Ｃは、長さを異にする以外の構成を同等にして形成される。行灯仕立て３は、対象とする植物４が苗の状態で植木鉢５に組み立てるばかりでなく、充分に育った状態で植木鉢５に組み立てることも可能である。
【００２３】
なお、行灯仕立て３については、上述した逆円錐台形状に組み立てられるものに限定されず、円筒形状に組み立てられて構成されるものであってもよい。かかる行灯仕立て３においては、各肋材１Ａ〜１Ｃとして全て同一仕様のものが用いられる。
【００２４】
支柱２については、園芸店等で販売されている市販品が用いられ、栽培対象の植物４に合わせた太さや長さのものが適宜選択される。支柱２は、表面を樹脂コーティングしたアルミパイプや樹脂製パイプであり、長さ方向に所定の間隔を以って複数の瘤部８が膨出形成されるとともに上下端部に栓材９が嵌め合わされている。支柱２は、後述するように各瘤部８により各段の肋材１をそれぞれ略水平状態に保持するとともに高さ方向に位置決めして組み付けるようにする。
【００２５】
なお、支柱２は、上述した瘤付きのものばかりでなく、例えば外周部に滑り止め用の小さな凹凸が形成されたものや、滑らかな表面を有するものであってもよい。また、支柱２は、市販品ばかりでなく、アルミパイプや樹脂製パイプばかりでなく、竹材や棒材等を用いるようにしてもよい。
【００２６】
肋材１は、表面を樹脂コーティングしたアルミニウム等の金属線材或いは合成樹脂線材により形成され、作業者が手で容易に折り曲げたり湾曲させたりすることが可能であるとともに湾曲させた状態から初期状態に復元するある程度の弾性特性を有するように全体がやや細径に形成される。肋材１は、上述した３本の支柱２Ａ〜２Ｃにより構成される円周長、すなわち行灯仕立て３を設置する植木鉢５の号数に略等しい長さを有しており、図２に示すように第１端部側に第１掛止端部１０が形成されるとともに第１端部と相対する第２端部側に第２掛止端部１１が形成され、途中部位１２がある程度の曲率を以って湾曲されて構成される。
【００２７】
肋材１は、後述するように支柱２に対してリング状に湾曲されて組み合わされるが、途中部位１２が予め緩やかに湾曲されていることにより、折れ曲がり等を生じることなく容易に湾曲することが可能である。肋材１は、大きな曲率で湾曲させる必要は無く、未使用時において大きなスペースを取ることもなく取り扱いが簡便である。肋材１は、取り扱い時や保管時に変形等が生じて使用時にこれを調整するといった手間を不要とする。肋材１は、線材の両端部に簡易な曲げ加工を施して形成されることから、廉価に製作することが可能である。
【００２８】
肋材１は、第１掛止端部１０が、先端部を略Ｕ字状に折曲した第１掛合せ部１３と、この第１掛合せ部１３の折り返し先端部位を外側に向かって略へ字状に折曲した第１係止部１４とから構成される。第１掛止端部１０は、第１掛合せ部１３が、後述するように支柱２に掛け合わされることから、支柱２の外径よりもやや大きくかつ瘤部８の最大外径よりもやや小さい曲率半径で略Ｕ字状に折曲される。
【００２９】
肋材１は、第２掛止端部１１も、略Ｕ字状に折曲した第２掛合せ部１５と、この第２掛合せ部１５の折り返し先端部位を外側に向かって略へ字状に折曲した第２係止部１６とから構成される。第２掛止端部１１は、第２掛合せ部１５が、その曲率半径を特に限定されないが、後述するように第１掛止端部１０の第１掛合せ部１３に掛け合わされることからこの第１掛合せ部１３の幅とほぼ同等の幅を有するように折曲することが好ましい。したがって、第２掛止端部１１は、第２掛合せ部１５が、第１掛合せ部１３を形成する曲げ金型を用いて支柱２の外径よりもやや大きくかつ瘤部８の最大外径よりもやや小さい曲率半径で略Ｕ字状に折曲される。
【００３０】
肋材１においては、第１掛止端部１０が、支柱２に対して第１掛合せ部１３を水平姿勢で直交状態に掛け合わせる向きに折曲されて形成される。肋材１においては、第２掛止端部１１の第２掛合せ部１５が、上述した第１掛止端部１０の第１掛合せ部１３に対して図２に示すように９０°ずらされて直交する方向に折曲されて形成される。肋材１においては、後述するように第１掛止端部１０の第１掛合せ部１３を支柱２に掛け合わせた後に途中部位１２を他の支柱２の外周部に沿って湾曲させることで弾性力が蓄勢された状態で第２掛止端部１１の第２掛合せ部１５を支柱２と対向させる。肋材１においては、この状態で第２掛合せ部１５が支柱２と平行な姿勢かつ第１掛止端部１０に対して垂直姿勢で第１掛合せ部１３に直交状態に突き合わされる。肋材１は、第２掛合せ部１５を第１掛合せ部１３に掛け合わされることにより全体が略リング状を呈する。
【００３１】
行灯仕立て３は、以下の組立方法により上述した３本の支柱２Ａ〜２Ｃに対して３本の肋材１Ａ〜１Ｃを高さ方向に並べてそれぞれ組み付けて構成する。行灯仕立て３においては、植木鉢５の大きさに応じてさらに多数本の支柱２が用いられるとともに長さを選択された複数本の肋材１が用いられることは勿論である。３本の支柱２Ａ〜２Ｃは、上述したようにそれぞれ植木鉢５の土壌６に、互いに略等間隔でかつそれぞれの瘤部８が互いに略同一高さとなるようにして下端部を差し込まれて立設される。
【００３２】
行灯仕立て３の組立方法においては、上述したようにそれぞれ長さを異にした３本の肋材１Ａ〜１Ｃが用いられて各支柱２Ａ〜２Ｃに組み付けられるが、それぞれが同様の作業により適宜選択した支柱２Ａ〜２Ｃのいずれかに組み付けられることから、下段の肋材１Ａの組み付け作業について代表して説明する。肋材１Ａは、図３及び図４に示すように支柱２Ａに対して、その外側から第１係止部１４が内側に位置するように第１掛止端部１０の第１掛合せ部１３を瘤部８の上方に位置させて水平姿勢で直交するようにして掛け合わされる。
【００３３】
肋材１Ａは、途中部位１２が他の支柱２Ｂ、２Ｃの外周部に沿ってそれぞれの瘤部８の上方に位置させるようにして略円形となるように大きく湾曲される。肋材１Ａは、途中部位１２が上述したように予めやや小さな曲率で湾曲されることにより、ねじれや折れ曲がりを生じることなくスムーズに湾曲させることが可能である。肋材１Ａは、途中部位１２が支柱２Ｂ、２Ｃの外周部を周回して第２掛止端部１１を支柱２Ａの内側まで導くことにより、この第２掛止端部１１が第２係止部１６を下側に向けて第２掛合せ部１５を支柱２Ａに対して高さ方向に平行な姿勢とされ第１掛止端部１０の第１掛合せ部１３と垂直姿勢を以って直交した状態となる。
【００３４】
肋材１Ａは、図３及び図４に示すように、第２掛合せ部１５が第１掛合せ部１３に対して上方側から直交状態に掛け合わされることにより、第１掛止端部１０と第２掛止端部１１が結合される。肋材１Ａは、第２掛止端部１１の先端部に略へ字状に折曲して形成された第２係止部１６がガイドとなり、第２掛合せ部１５を第１掛合せ部１３にスムーズに掛け合わすことが可能である。肋材１Ａは、第２掛合せ部１５を第１掛合せ部１３に掛け合わせた状態で第１係止部１４と第２係止部１６が交差した状態で組み合わされることにより、第１掛止端部１０と第２掛止端部１１の結合状態が保持される。
【００３５】
肋材１Ａは、弾性を有する線材により形成されることから、途中部位１２をその他の支柱２Ｂ、２Ｃの外周部を周回するように湾曲し第１掛止端部１０と第２掛止端部１１を結合して各支柱２Ａ〜２Ｃにリング状に組み付けた状態において弾性力を蓄勢する。肋材１Ａは、この弾性力が、図４に矢印イで示すように第１掛止端部１０において支柱２Ａに対して内側に向かって作用するとともに第２掛止端部１１において矢印ロ１、ロ２で示すように支柱２Ａに対して外側に向かって作用する。したがって、肋材１Ａは、支柱２Ａを挟んで直交状態に掛け合わされた第１掛止端部１０の第１掛合せ部１３と第２掛止端部１１の第２掛合せ部１５とが支柱２Ａを挟持することで、この支柱２Ａに組み付けられる。
【００３６】
ところで、肋材１Ａにおいては、第１掛止端部１０と第２掛止端部１１を結合した状態において、図４に示すように第２掛止端部１１側の第２掛合せ部１５がその相対向する部位１４ａ、１４ｂを支柱２Ａの内周面に高さ方向に離間して当接する。肋材１Ａにおいては、これら部位１４ａ、１４ｂが支柱２Ａに対して直交する方向に上述した弾性力ロ１、ロ２を作用させることから、全体として支柱２Ａに対して略直交状態に自立し途中部位１２が略水平な状態とされて片持ち支持されることになる。
【００３７】
肋材１Ａは、上述したように選択した支柱２Ａに対して途中部位１２を略水平な状態にして片持ち支持されるとともに、その他の支柱２Ｂ、２Ｃに対して途中部位１２をそれぞれの瘤部８の上方に位置してリング状に組み付けられることにより、これら瘤部８により高さ方向の位置を仮保持される。したがって、肋材１Ａにおいては、水平状態を保ちながら途中部位１２をその他の支柱２に対して組み付ける面倒な作業を不要とする。なお、肋材１においては、上述したように支柱２に対してさらに強固に組み付ける必要がある場合に、途中部位１２と支柱２Ｂ、２Ｃの各交差位置において結合針金７が巻き付けられる。肋材１Ａは、上述したように第１掛合せ部１３と第２掛合せ部１５が支柱２Ａを挟持して組み付けられるとともに瘤部８により仮保持されることから、支柱２Ｂ、２Ｃに結合針金７を巻き付け作業も簡単に行うことが可能である。
【００３８】
上段の肋材１Ｂ、１Ｃは、同様の作業により選択した支柱２Ａ〜２Ｃに対して組み付けられ、下段の肋材１Ａと共同して全体として行灯仕立て３を組み立てる。各肋材１は、簡易な作業により各支柱２に組み付けられて、縦横格子状態に結合された強固な行灯仕立て３を簡易な作業により組み立てることを可能とする。肋材１は、従来のように各支柱２に対して植物４の上方から落とし込むようにして組み付ける作業によらず、上述したように外周部から組み付けることが可能である。したがって、肋材１は、植物４が大きく育って茎や枝が外側に大きく拡がった状態であっても、茎や枝或いは繁茂した葉等を傷付けることなく後付で行灯仕立て３を組み立てることを可能とする。
【００３９】
なお、上述した実施の形態においては、植木鉢５に立設した３本の支柱２Ａ〜２Ｃに対して高さ方向に離間して３本の肋材１Ａ〜１Ｃを組み合わせて行灯仕立て３を構成するようにしたが、かかる適用例に限定されないことは勿論である。肋材１は、例えば１本の支柱２と組み合わせて植物４を支えるようにしてもよく、また多段に組み合わせて行灯仕立て３を構成することも可能である。
【００４０】
肋材１は、上述した行灯仕立て３の適用例に限定されず、例えば図５に示すように所定の間隔を以って土壌に立設した複数の縦支柱２１Ａ〜２１Ｎ（同図では２本の縦支柱２１Ａ、２１Ｂのみが図示されている。）と、これら縦支柱２１に対して高さ方向に所定の間隔を以って組み合わされ結合針金７により交差部位を結合されることにより横架された複数本の横支柱２２Ａ〜２１Ｍ（同図では１本のみが図示されている）からなる、いわゆる垣根仕立て２０にも好適に用いられる。
【００４１】
肋材１は、図５に示すように縦支柱２１Ａに対してその外側から第１係止部１４が内側に位置するように第１掛止端部１０の第１掛合せ部１３を水平姿勢で直交するようにして掛け合わされる。肋材１は、垣根仕立て２０から外側に大きく拡がった植物４の茎や枝或いはこれらに茂った葉を囲むようにして途中部位１２を横支柱２２Ａの側方へと導くことにより、第２掛止端部１１が第２係止部１６を下側に向けて横支柱２２Ａに対して垂直姿勢で直交状態に対向する。
【００４２】
肋材１は、途中部位１２により茎や枝を垣根仕立て２０側へと寄せるようにしながら第２掛止端部１１の第２掛合せ部１５を横支柱２２Ａに対して上方側から直交状態に掛け合わす。肋材１は、茎や枝を垣根仕立て２０側へと寄せることにより、これら茎や枝から途中部位１２に対して図５矢印で示すように外側に向かう反力が作用される。肋材１は、この途中部位１２に作用される反力が第１掛止端部１０と第２掛止端部１１を介して縦支柱２１Ａと横支柱２２Ａに作用され、全体が略水平状態に保持されて垣根仕立て２０に組み合わされる。肋材１においては、大きく育って茎や枝が外側に大きく拡がってしまった垣根仕立て２０に対して簡易な作業で後付で組み付けることにより、途中部位１２が周囲を囲って茎や枝に大きな負担を掛けずにその拡がりを抑制し、植物４の傾倒等を防止する。
【００４３】
なお、肋材１は、上述した第１掛止端部１０と第２掛止端部１１を異なる支柱である縦支柱２１Ａと横支柱２２Ａに掛け合わせる使用形態が、垣根仕立て２０に限定されないことは勿論であり、上述した行灯仕立て３にも適用可能である。肋材１は、支柱に対して適宜に組み合わせることにより、植物４を多様な形態で保持することが可能である。
【図面の簡単な説明】
【００４４】
【図１】本考案の第１の実施の形態として示す肋材を用いて植木鉢に組み立てた行灯仕立ての斜視図である。
【図２】肋材の要部斜視図である。
【図３】支柱と肋材の結合部位を示す要部斜視図である。
【図４】同要部断面図である。
【図５】本考案の第２の実施の形態として示す肋材を用いた垣根仕立ての要部斜視図である。
【符号の説明】
【００４５】
１  植物保持用肋材、２  支柱、３  行灯仕立て、４  植物、５  植木鉢、６  土壌、７  結合針金、８  瘤部、９  栓材、１０  第１掛止端部、１１  第２掛止端部、１２    途中部位、１３  第１掛合せ部、１４  第１係止部、１５  第２掛合せ部、１６  第２係止部
【図１】
0003126856.tif 000003
【図２】
0003126856.tif 000004
【図３】
0003126856.tif 000005
【図４】
0003126856.tif 000006
【図５】
0003126856.tif 000007